【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
ポリマーコーティングを含む物体であって、
前記コーティングが、ａ）第１の切断部位を含む１種または複数のポリマーと、ｂ）前記第１の切断部位の切断で前記コーティングから放出可能な第１の剤とを含み、
前記第１の切断部位が、限られた数の微生物菌株、種または属からなる第１の群に属する微生物によって特異的に提供される第１の化合物によって切断されるが、前記第１の群に属さない微生物によって提供される化合物によって切断されないことを特徴とし、
前記第１の切断部位の切断が前記コーティングからの前記第１の剤の放出をもたらし、
前記第１の剤の放出が前記第１の群に属する微生物の存在の指標となり、
少なくとも主要な第１の機能および第２の補助機能を有し、
前記第２の補助機能が前記コーティングからの前記第１の剤の放出を含み、
前記主要な第１の機能が前記コーティングまたはそこからの前記第１の剤の放出に関連しない物体。
【請求項２】
前記ポリマーコーティングが、ｃ）第２の切断部位を含む１種または複数のポリマーと、ｄ）前記第２の切断部位の切断で前記コーティングから放出可能な第２の剤とをさらに含み、
前記第２の切断部位が、限られた数の微生物菌株、種または属からなる第２の群に属する微生物によって特異的に提供される第２の化合物によって切断されるが、前記第２の群に属さない微生物によって提供される化合物によって切断されないことを特徴とし、
前記第２の切断部位の切断が前記コーティングからの前記第２の剤の放出をもたらし、
前記第２の剤の放出が前記第２の群に属する微生物の指標となり、
前記第２の切断部位が前記第１の切断部位とは異なり、前記第１の化合物によって切断されず、
前記第２の群に属する限られた数の微生物菌株、種または属は、前記第１の群に属する限られた数の微生物菌株、種または属とは異なる、請求項１に記載の物体。
【請求項３】
前記第１の化合物が酵素である、請求項１または２に記載の物体。
【請求項４】
前記第１の剤が第１のリンカーを介して第１のポリマーと共有結合しており、前記第１のリンカーが前記第１の切断部位を含み、
前記第２の剤が第２のリンカーを介して第２のポリマーと共有結合しており、前記第２のリンカーが前記第２の切断部位を含み、
前記コーティングが、前記第１の切断部位の切断で放出される第１の追加の剤を任意に含み、
前記コーティングが、前記第２の切断部位の切断で放出される第２の追加の剤を任意に含む請求項２または３に記載の物体。
【請求項５】
前記第１のリンカーおよび／または第２のリンカーが、アミド結合、エステル結合、チオエステル結合、カルバメート結合、好ましくはアミド結合からなる群から選択される１つまたは複数の結合を含み、
前記リンカーが好ましくはペプチドを含み、および／または
前記第１の切断部位および／または第２の切断部位が、好ましくはＰＰＴＰ（配列番号２）、ＰＰＳＰ（配列番号３）、ＬＰＡＴＧ（配列番号４）、ＬＰＥＴＧ（配列番号５）、ＬＰＤＴＧ（配列番号６）、ＬＰＱＴＧ（配列番号７）、ＮＰＱＴＮ（配列番号８）、ＮＰＫＴＮ（配列番号９）、ＧＧＡ、ＧＧＬ、ＡＡＲ、ＡＡＦ、ＧＦＰＲＧ（配列番号１０）およびＧｆＰＲＧ（配列番号１１）からなる群から選択される特異的アミノ酸モチーフを含む、請求項４に記載の物体。
【請求項６】
請求項１〜５のいずれかに記載の前記第１の剤および／または請求項２〜５のいずれかに記載の前記第２の剤および任意に請求項４または５のいずれかに記載の前記第１の追加の剤および任意に前記第２の追加の剤が、治療剤または診断剤であって、
前記治療剤が、βラクタム抗生物質、セファロスポリン抗生物質、マクロライド、環状デプシペプチドおよびテトラサイクリンからなる群から好ましくは選択され、好ましくは環状デプシペプチド、より好ましくはバンコマイシンであり、
前記診断剤が、好ましくは蛍光剤、生物発光剤、発光剤、化学発光剤または核剤からなる群から選択される光子放出剤であり、好ましくは蛍光剤ＩＲＤｙｅ  ８００ＣＷであり、
前記第２の剤は、好ましくは前記第１の剤とは異なる、請求項１から５のいずれか一項に記載の物体。
【請求項７】
前記第１の追加の剤および／または前記第２の追加の剤が、第１の追加のリンカーおよび／または第２の追加のリンカーを介して第１の追加のポリマーおよび／または第２の追加のポリマーと共有結合しており、
第１の追加のリンカーおよび／または前記第２の追加のリンカーが、前記第１の切断部位および／または前記第２の切断部位をそれぞれ含み、好ましくは前記第１のリンカーおよび／または前記第２のリンカーと同一であり、
第１の追加のポリマーおよび／または第２の追加のポリマーは、好ましくは前記第１のポリマーおよび／または前記第２のポリマーと同一である、請求項６に記載の物体。
【請求項８】
前記第１のポリマー、および／または存在する場合には前記第１の追加のポリマーおよび／または存在する場合には前記第２のポリマーおよび／または存在する場合には前記第２の追加のポリマーが、ヒドロゲル、好ましくは生分解性ポリマー、より好ましくはポリエチレングリコール、さらにより好ましくはポリエチレングリコールビニル−スルホンまたはポリエチレングリコールジアクリレート、最も好ましくはポリエチレングリコールジアクリレートを含む、請求項１から７のいずれか一項に記載の物体。
【請求項９】
医療機器、医療用注射針もしくは輸液針、医療用インプラント、食品接触面からなる群から選択される、請求項１から８のいずれか一項に記載の物体。
【請求項１０】
侵襲的な外科手術中に患者の体内に植え込まれることが意図されている、請求項１から９のいずれか一項に記載の物体。
【請求項１１】
請求項１から１０のいずれか一項に記載の物体からの光子放出を感知する方法であって、
前記第１の剤および／または存在する場合には前記第２の剤が光子放出剤を含み、
前記物体に、前記コーティングから放出されると前記第１の剤および／または存在する場合には前記第２の剤からの光子放出を誘導することができる光を照射するステップと、
前記光子放出を登録するステップとを含み、
前記光子放出が、それぞれ前記第１または第２の群に属する微生物菌株、種または属の存在の指標となる方法。
【請求項１２】
請求項１から１０のいずれか一項に記載のコーティングされた物体を製造する方法であって、ａ）物体を第１の切断部位と前記第１の剤および場合により第１の追加の剤とを含むポリマー、ならびに存在する場合には前記第２の切断部位と前記第２の剤および場合により第２の追加の剤とを含むポリマーの溶液に浸漬コーティングして、浸漬された物体を得るステップと、ｂ）前記浸漬された物体を乾燥させコーティングされた物体を製造するステップと、を含む方法。
【請求項１３】
（ａ）第１の切断部位を含む１種または複数のポリマーと、（ｂ）前記第１の切断部位の切断でコーティングから放出可能な第１の剤とを含み、
前記第１の切断部位が、限られた数の微生物菌株、種または属からなる第１の群に属する微生物によって特異的に提供される第１の化合物によって切断されるが、前記第１の群に属さない微生物によって提供される化合物によって切断されないことを特徴とし、前記第１の切断部位の切断がコーティングからの前記第１の剤の放出をもたらし、前記第１の剤の放出が前記第１の群に属する微生物の存在の指標となるポリマーコーティング。
【請求項１４】
微生物感染症、特にバイオフィルム関連感染症を監視および／または治療するための、請求項１から１０のいずれか一項に記載の物体の使用。
【請求項１５】
感染症、特にバイオフィルム関連感染症の存在および／または発達を監視するためのならびに／あるいはその治療のための物体、特に植込み型装置、特に請求項２に定義される物体をコーティングするための請求項１３に記載のポリマーコーティングの使用。